(57)【要約】【課題】燃料の気化を促進させ、機関始動を容易に行わせる技術を提供する。【解決手段】内燃機関がクランキングされる気筒の初爆直前サイクルでは、当該気筒が吸気行程の時期に吸気弁を吸気弁可変動弁機構で閉弁し（Ｓ１０８）、当該気筒内に燃料噴射手段で燃料を噴射し（Ｓ１０９）、当該気筒内への点火手段での点火を禁止し、当該気筒が排気行程の時期に排気弁を排気弁可変動弁機構で閉弁状態に維持し（Ｓ１１０）、当該気筒の初爆サイクルでは、当該気筒内への燃料噴射手段からの燃料噴射を禁止する。【選択図】図３
2011038426.tif 000002
【特許請求の範囲】
【請求項１】
内燃機関をクランキングするクランキング手段と、
前記内燃機関の気筒の吸気弁の作動を変更可能な吸気弁可変動弁機構と、
前記内燃機関の気筒の排気弁の作動を変更可能な排気弁可変動弁機構と、
前記内燃機関の気筒内に燃料を噴射する燃料噴射手段と、
前記内燃機関の気筒内で点火を行う点火手段と、
前記内燃機関が前記クランキング手段によってクランキングされる気筒の初爆直前サイクルでは、当該気筒が吸気行程の時期に前記吸気弁を前記吸気弁可変動弁機構で閉弁し、当該気筒内に前記燃料噴射手段で燃料を噴射し、当該気筒内への前記点火手段での点火を禁止し、当該気筒が排気行程の時期に前記排気弁を前記排気弁可変動弁機構で閉弁状態に維持し、当該気筒の初爆サイクルでは、当該気筒内への前記燃料噴射手段からの燃料噴射を禁止する始動制御手段と、
を備えたことを特徴とする筒内直噴式内燃機関の始動制御装置。
【請求項２】
前記始動制御手段は、当該気筒の初爆サイクルでは、当該気筒が吸気行程の時期に前記吸気弁を前記吸気弁可変動弁機構で小作動リフト化することを特徴とする請求項１に記載の筒内直噴式内燃機関の始動制御装置。
【請求項３】
前記始動制御手段は、当該気筒内への前記燃料噴射手段での燃料噴射を、当該気筒の前記初爆直前サイクルにおけるピストン頂部が上死点と下死点との中間位置よりも下方に位置する当該気筒の容積が大きい時期に行うことを特徴とする請求項１又は２に記載の筒内直噴式内燃機関の始動制御装置。
【請求項４】
前記始動制御手段は、当該気筒内への前記燃料噴射手段での燃料噴射を、当該気筒の前記初爆直前サイクルにおけるピストン頂部が上死点と下死点との中間位置よりも上方に位置する当該気筒の容積が小さい時期に行うことを特徴とする請求項１又は２に記載の筒内直噴式内燃機関の始動制御装置。
【請求項５】
内燃機関の温度を検知する機関温度検知手段と、
燃料のアルコール濃度を検知するアルコール濃度検知手段と、
を備え、
前記始動制御手段は、前記機関温度検知手段で検知する機関温度が、機関始動が困難になる所定温度以下、又は、前記アルコール濃度検知手段で検知するアルコール濃度が、機関始動が困難になる所定濃度以上の場合に、制御を実行することを特徴とする請求項１〜４のいずれか１項に記載の筒内直噴式内燃機関の始動制御装置。
【請求項６】
前記内燃機関の気筒内の圧力を検知する筒内圧検知手段を備え、
前記始動制御手段は、前記点火手段での点火後に前記筒内圧検知手段で検知した筒内圧が当該気筒内の爆発で機関始動する場合に生じる所定圧よりも小さいときは、当該気筒の前記初爆直前サイクルにおける当該気筒内に前記燃料噴射手段で燃料を噴射する処理から制御を繰り返すことを特徴とする請求項１〜５のいずれか１項に記載の筒内直噴式内燃機関の始動制御装置。
【請求項７】
内燃機関をクランキングするクランキング手段と、
前記内燃機関の気筒の吸気弁の作動を変更可能な吸気弁可変動弁機構と、
前記内燃機関の気筒の排気弁の作動を変更可能な排気弁可変動弁機構と、
前記内燃機関の気筒内に燃料を噴射する燃料噴射手段と、
前記内燃機関の気筒内で点火を行う点火手段と、
を備える筒内直噴式内燃機関の始動制御方法であって、
前記内燃機関が前記クランキング手段によってクランキングされる気筒の初爆直前サイクルでは、当該気筒が吸気行程の時期に前記吸気弁を前記吸気弁可変動弁機構で閉弁し、当該気筒内に前記燃料噴射手段で燃料を噴射し、当該気筒内への前記点火手段での点火を禁止し、当該気筒が排気行程の時期に前記排気弁を前記排気弁可変動弁機構で閉弁状態に維持し、
当該気筒の初爆サイクルでは、当該気筒内への前記燃料噴射手段からの燃料噴射を禁止することを特徴とする筒内直噴式内燃機関の始動制御方法。
【発明の詳細な説明】
【技術分野】
【０００１】
本発明は、筒内直噴式内燃機関の始動制御装置及び筒内直噴式内燃機関の始動制御方法に関する。
【背景技術】
【０００２】
低温での機関始動時に、排気弁の可変動弁機構を用いて排気行程で、燃料噴射した筒内ガスを閉じ込め、当該筒内ガスを次サイクルに持ち越すことで、燃料量の増大及び燃料の気化促進を図る技術が開示されている（例えば、特許文献１参照）。
【先行技術文献】
【特許文献】
【０００３】
【特許文献１】特開平１０−００９００４号公報
【特許文献２】特開２００７−０７７９５４号公報
【発明の概要】
【発明が解決しようとする課題】
【０００４】
ところで、近年では、燃料にガソリンだけでなくアルコールも含有するアルコール混合燃料が用いられる。アルコール混合燃料は、気化特性が悪く、発熱量が低いため、低温での機関始動を困難にさせる。このようなアルコール混合燃料を用いる場合に上記技術を適用しても、次サイクルで供給された燃料がやはり気化し難く、低温での機関始動は改善されない。
【０００５】
本発明は上記問題点に鑑みたものであり、その目的は、燃料の気化を促進させ、機関始動を容易に行わせる技術を提供することにある。
【課題を解決するための手段】
【０００６】
本発明にあっては、以下の構成を採用する。すなわち、本発明は、
内燃機関をクランキングするクランキング手段と、
前記内燃機関の気筒の吸気弁の作動を変更可能な吸気弁可変動弁機構と、
前記内燃機関の気筒の排気弁の作動を変更可能な排気弁可変動弁機構と、
前記内燃機関の気筒内に燃料を噴射する燃料噴射手段と、
前記内燃機関の気筒内で点火を行う点火手段と、
前記内燃機関が前記クランキング手段によってクランキングされる気筒の初爆直前サイクルでは、当該気筒が吸気行程の時期に前記吸気弁を前記吸気弁可変動弁機構で閉弁し、当該気筒内に前記燃料噴射手段で燃料を噴射し、当該気筒内への前記点火手段での点火を禁止し、当該気筒が排気行程の時期に前記排気弁を前記排気弁可変動弁機構で閉弁状態に維持し、当該気筒の初爆サイクルでは、当該気筒内への前記燃料噴射手段からの燃料噴射を禁止する始動制御手段と、
を備えたことを特徴とする筒内直噴式内燃機関の始動制御装置である。
【０００７】
本発明によると、初爆サイクルで初爆される燃料が１つ前のサイクルである初爆直前サイクルで気筒内に噴射される。ここで、気筒の初爆直前サイクルでは、気筒が吸気行程の時期に吸気弁を閉弁しており、気筒が排気行程の時期に排気弁を閉弁状態に維持しているので、気筒内に吸入されたガス量が少なく排出もされない。そしてクランキングされてピストンが作動し、初爆直前サイクルにおけるピストン頂部が上死点と下死点との中間位置よりも下方に位置する気筒の容積が大きい時期に燃料が噴射されると、筒内ガス体積が大きくなり負圧となった気筒内に噴射された燃料の沸騰が生じるので、燃料の気化が促進で
きる。一方、初爆直前サイクルにおけるピストン頂部が上死点と下死点との中間位置よりも上方に位置する気筒の容積が小さい時期に燃料が噴射されると、筒内ガスが断熱圧縮されて温められた気筒内に燃料を噴射するので、燃料の気化が促進できる。また、初爆直前サイクルで燃料が噴射されると、初爆サイクルの点火までの時間が稼げるので、燃料の気化が促進できる。よって、燃料の気化が促進され、機関始動が容易に行える。
【０００８】
前記始動制御手段は、当該気筒の初爆サイクルでは、当該気筒が吸気行程の時期に前記吸気弁を前記吸気弁可変動弁機構で小作動リフト化するとよい。
【０００９】
本発明によると、初爆サイクルでは吸気弁があまり開弁されず、気筒内に吸入されるガスは流速が増す。これにより、気筒内では気流が増加し、筒内ガスと燃料とがよく混ざるようになる。よって、燃料の気化が促進され、機関始動が容易に行える。
【００１０】
前記始動制御手段は、当該気筒内への前記燃料噴射手段での燃料噴射を、当該気筒の前記初爆直前サイクルにおけるピストン頂部が上死点と下死点との中間位置よりも下方に位置する当該気筒の容積が大きい時期に行うとよい。
【００１１】
本発明によると、初爆直前サイクルでの筒内ガス量が少ないにもかかわらず、筒内ガス体積が大きくなり負圧となった気筒内に燃料が噴射される。噴射される燃料は液体であるが、負圧の雰囲気に噴射されると、燃料の沸騰が生じる。よって、燃料の気化が促進され、機関始動が容易に行える。
【００１２】
前記始動制御手段は、当該気筒内への前記燃料噴射手段での燃料噴射を、当該気筒の前記初爆直前サイクルにおけるピストン頂部が上死点と下死点との中間位置よりも上方に位置する当該気筒の容積が小さい時期に行うとよい。
【００１３】
本発明によると、クランキングされてピストンが作動し、筒内ガスが断熱圧縮されて温められた気筒内に燃料が噴射される。筒内ガスが温かい程、燃料は気化し易い。よって、燃料の気化が促進され、機関始動が容易に行える。
【００１４】
内燃機関の温度を検知する機関温度検知手段と、燃料のアルコール濃度を検知するアルコール濃度検知手段と、を備え、前記始動制御手段は、前記機関温度検知手段で検知する機関温度が、機関始動が困難になる所定温度以下、又は、前記アルコール濃度検知手段で検知するアルコール濃度が、機関始動が困難になる所定濃度以上の場合に、制御を実行するとよい。
【００１５】
ここで、所定温度とは、内燃機関の温度がそれ以下の温度であると、低温下のために機関始動が困難になる閾値の温度であり、予め実験や検証等で求めることができる。また、所定濃度とは、燃料のアルコール濃度がそれ以上の濃度であると、アルコール濃度が高濃度のために機関始動が困難になる閾値の温度であり、予め実験や検証等で求めることができる。
【００１６】
本発明によると、低温下や燃料のアルコール濃度が高濃度のために内燃機関の機関始動が困難な場合に、燃料の気化が促進され、機関始動が容易に行える。
【００１７】
前記内燃機関の気筒内の圧力を検知する筒内圧検知手段を備え、前記始動制御手段は、前記点火手段での点火後に前記筒内圧検知手段で検知した筒内圧が当該気筒内の爆発で機関始動する場合に生じる所定圧よりも小さいときは、当該気筒の前記初爆直前サイクルにおける当該気筒内に前記燃料噴射手段で燃料を噴射する処理から制御を繰り返すとよい。
【００１８】
ここで、所定圧とは、気筒内の爆発で機関始動する場合に生じる圧力であり、気筒内の圧力がそれよりも小さいと、気筒内の爆発で機関始動できなかったことになる圧力であり、予め実験や検証等で求めることができる。
【００１９】
本発明によると、初爆サイクルで内燃機関の機関始動ができなかった場合に、制御を繰り返すので、機関始動が容易に行える。
【００２０】
本発明にあっては、以下の構成を採用する。すなわち、本発明は、
内燃機関をクランキングするクランキング手段と、
前記内燃機関の気筒の吸気弁の作動を変更可能な吸気弁可変動弁機構と、
前記内燃機関の気筒の排気弁の作動を変更可能な排気弁可変動弁機構と、
前記内燃機関の気筒内に燃料を噴射する燃料噴射手段と、
前記内燃機関の気筒内で点火を行う点火手段と、
を備える筒内直噴式内燃機関の始動制御方法であって、
前記内燃機関が前記クランキング手段によってクランキングされる気筒の初爆直前サイクルでは、当該気筒が吸気行程の時期に前記吸気弁を前記吸気弁可変動弁機構で閉弁し、当該気筒内に前記燃料噴射手段で燃料を噴射し、当該気筒内への前記点火手段での点火を禁止し、当該気筒が排気行程の時期に前記排気弁を前記排気弁可変動弁機構で閉弁状態に維持し、
当該気筒の初爆サイクルでは、当該気筒内への前記燃料噴射手段からの燃料噴射を禁止することを特徴とする筒内直噴式内燃機関の始動制御方法である。
【００２１】
本発明によると、初爆サイクルで初爆される燃料が１つ前のサイクルである初爆直前サイクルで気筒内に噴射される。ここで、気筒の初爆直前サイクルでは、気筒が吸気行程の時期に吸気弁を閉弁しており、気筒が排気行程の時期に排気弁を閉弁状態に維持しているので、気筒内に吸入されたガス量が少なく排出もされない。そしてクランキングされてピストンが作動し、初爆直前サイクルにおけるピストン頂部が上死点と下死点との中間位置よりも下方に位置する気筒の容積が大きい時期に燃料が噴射されると、筒内ガス体積が大きくなり負圧となった気筒内に噴射された燃料の沸騰が生じるので、燃料の気化が促進できる。一方、初爆直前サイクルにおけるピストン頂部が上死点と下死点との中間位置よりも上方に位置する気筒の容積が小さい時期に燃料が噴射されると、筒内ガスが断熱圧縮されて温められた気筒内に燃料を噴射するので、燃料の気化が促進できる。また、初爆直前サイクルで燃料が噴射されると、初爆サイクルの点火までの時間が稼げるので、燃料の気化が促進できる。よって、燃料の気化が促進され、機関始動が容易に行える。
【発明の効果】
【００２２】
本発明によると、燃料の気化を促進させることができ、機関始動を容易に行わせることができる。
【図面の簡単な説明】
【００２３】
【図１】実施例１に係る筒内直噴式内燃機関の概略構成を示す図である。
【図２】実施例１に係る特殊機関始動制御を示すタイミングチャートである。
【図３】実施例１に係る始動制御ルーチンを示すフローチャートである。
【発明を実施するための形態】
【００２４】
以下に本発明の具体的な実施例を説明する。
【００２５】
＜実施例１＞
図１は、本実施例に係る筒内直噴式内燃機関（以下、単に内燃機関という）の始動制御装置を適用する内燃機関の概略構成を示している。図１に示す内燃機関１は、車両に搭載
された４つの気筒を有する水冷式の４ストロークサイクル・ガソリンエンジンである。内燃機関１は、気筒２内に燃料を噴射し、火花点火を行う。なお、本実施例では、燃料にガソリンだけでなくエタノール等のアルコールも含有するアルコール混合燃料を用いる機関について説明する。しかし、本発明はこれに限られず、燃料にガソリンだけを用いる機関について適用してもよい。
【００２６】
内燃機関１の気筒２内には、ピストン３が摺動自在に設けられている。気筒２内上部の燃焼室４には、吸気ポート５及び排気ポート６が接続されている。内燃機関１の気筒２の上部側方には、気筒２内の燃焼室４に燃料を噴射する燃料噴射弁７が設けられている。燃料噴射弁７が本発明の燃料噴射手段に相当する。内燃機関１の気筒２の上方には、気筒２内の燃焼室４の混合気に点火を行う点火プラグ８が設けられている。点火プラグ８が本発明の点火手段に相当する。
【００２７】
吸気ポート５の燃焼室４への開口部は吸気弁９によって開閉され、排気ポート６の燃焼室４への開口部は排気弁１０によって開閉される。吸気ポート５は吸気通路１１に接続され、排気ポート６は排気通路１２に接続されている。
【００２８】
ここで、吸気弁９は、吸気弁９の作動タイミング、すなわち吸気弁９の開閉特性である開閉時期（バルブタイミング）やリフト量を変更可能とする吸気弁可変動弁機構（以下、吸気弁ＶＶＴという）１３を有している。一方、排気弁１０は、排気弁１０の作動タイミング、すなわち排気弁１０の開閉特性である開閉時期（バルブタイミング）やリフト量を変更可能とする排気弁可変動弁機構（以下、排気弁ＶＶＴという）１４を有している。排気弁ＶＶＴ１４は、少なくとも排気弁１０の開閉時期を変更できるものであればよい。吸気弁ＶＶＴ１３や排気弁ＶＶＴ１４は、電磁駆動式の機構等が用いられる。
【００２９】
内燃機関１の下方には、クランク軸からクランク角信号を取り出すクランク角センサ１５が設けられている。内燃機関１の気筒２には、気筒２内の圧力を検知する筒内圧センサ１６が設けられている。筒内圧センサ１６が本発明の筒内圧検知手段に相当する。内燃機関１には、機関冷却水温を検知する水温センサ１７が設けられている。水温センサ１７が本発明の機関温度検知手段に相当する。機関温度検知手段としては、水温センサ１７以外にも油温センサ等を用いることもできる。内燃機関１の燃料配管には、燃料のアルコール濃度を検知するアルコール濃度センサ１８が設けられている。アルコール濃度センサ１８が本発明のアルコール濃度検知手段に相当する。
【００３０】
内燃機関１には、当該内燃機関１をクランキングするスタータ１９が設けられている。スタータ１９は、不図示のバッテリの電力で駆動され、内燃機関１をクランキングする。スタータ１９が本発明のクランキング手段に相当する。
【００３１】
以上述べたように構成された内燃機関１には、内燃機関１を制御するための電子制御ユニットであるＥＣＵ２０が併設されている。ＥＣＵ２０は、内燃機関１の運転条件や運転者の要求に応じて内燃機関１の運転状態を制御するユニットである。ＥＣＵ２０には、図示した各種センサが電気配線を介して接続され、これらの出力信号がＥＣＵ２０に入力される。一方、ＥＣＵ２０には、燃料噴射弁７、点火プラグ８、吸気弁ＶＶＴ１３、排気弁ＶＶＴ１４及びスタータ１９が電気配線を介して接続されており、ＥＣＵ２０によりこれらの機器が制御される。
【００３２】
ところで、本実施例の内燃機関１の燃料には、アルコール混合燃料を用いている。アルコール混合燃料は、気化特性が悪く、発熱量が低いため、低温やアルコール濃度が高い場合の機関始動を困難にさせる。このため、クランキングして、吸気行程、圧縮行程、膨張行程、排気行程を行う通常の１サイクルで初爆を行わせる通常の機関始動制御を行っても
機関始動できない場合がある。
【００３３】
そこで、機関冷却水温Ｔｗが所定温度Ａ以下、又は、燃料のアルコール濃度Ｘが所定濃度Ｂ以上の場合に機関始動させるときは、通常の機関始動制御とは異なる特殊機関始動制御を行うようにした。特殊機関始動制御は、内燃機関がスタータ１９によってクランキングされる気筒２の初爆直前サイクルでは、この気筒２が吸気行程の時期に吸気弁９を吸気弁ＶＶＴ１３で閉弁し、この気筒２内に燃料噴射弁７で燃料を噴射し、この気筒２内への点火プラグ８での点火を禁止し、この気筒２が排気行程の時期に排気弁１０を排気弁ＶＶＴ１４で閉弁状態に維持し、この気筒２の初爆サイクルでは、この気筒２内への燃料噴射弁７からの燃料噴射を禁止するものである。
【００３４】
なおここで、本実施例での特殊機関始動制御では、この気筒２内への燃料噴射弁７での燃料噴射を、この気筒２の初爆直前サイクルにおける、ピストン３の頂部が上死点と下死点との中間位置よりも下方に位置する膨張行程後半のこの気筒２の容積が大きい時期に行う。
【００３５】
また、本実施例での特殊機関始動制御では、当該気筒２の初爆サイクルでは、この気筒２が吸気行程の時期に吸気弁９を吸気弁ＶＶＴ１３で小作動リフト化する。
【００３６】
ここで、水温センサ１７で検知する機関冷却水温Ｔｗの所定温度Ａとは、内燃機関１を流れる機関冷却水の温度がそれ以下の温度であると、低温下のために機関始動が困難になる閾値の温度であり、予め実験や検証等で求まる。なお、本実施例では、水温センサ１７で検知する機関冷却水温を例に挙げるが、これ以外の油温等の他の内燃機関１の温度を検知して、低温下のために機関始動が困難になる閾値の温度を所定温度と定めてもよい。また、アルコール濃度センサ１８で検知するアルコール濃度Ｘの所定濃度Ｂとは、燃料のアルコール濃度がそれ以上の濃度であると、アルコール濃度が高濃度のために機関始動が困難になる閾値の温度であり、予め実験や検証等で求まる。
【００３７】
またここで、初爆サイクルとは、機関始動前のクランキングされている内燃機関１の気筒２において混合気に点火が行われる、吸気行程、圧縮行程、膨張行程、排気行程を有する１サイクルである。初爆直前サイクルとは、機関始動前のクランキングされている内燃機関１の気筒２において初爆サイクルの１つ前のサイクルであって、吸気行程、圧縮行程、膨張行程、排気行程を有する１サイクルである。
【００３８】
特殊機関始動制御によると、初爆サイクルで初爆される燃料が１つ前のサイクルである初爆直前サイクルで気筒２内に噴射される。ここで、初爆直前サイクルでは、気筒２が吸気行程の時期に吸気弁９を閉弁しており、気筒２が排気行程の時期に排気弁１０を閉弁状態に維持しているので、気筒２内に吸入されたガス量が少なく排出もされない。そしてクランキングされてピストンが作動し、初爆直前サイクルにおける膨張行程後半の気筒２の容積が大きい時期に燃料が噴射されるので、筒内ガス体積が大きくなり負圧となった気筒２内に噴射された燃料の沸騰が生じるので、燃料の気化が促進できる。また、初爆直前サイクルにおける膨張行程後半の時期に燃料が噴射されると、初爆サイクルの点火までの時間が稼げるので、燃料の気化が促進できる。また、初爆サイクルにおける吸気行程で吸気弁９が小作動リフト化されると、吸気弁９があまり開弁されず、流速が増したガスが気筒２内に吸入されて気筒２内で気流が増加し、筒内ガスと燃料とがよく混ざり、燃料の気化が促進できる。よって、機関冷却水温Ｔｗが所定温度Ａ以下、又は、燃料のアルコール濃度Ｘが所定濃度Ｂ以上の場合の内燃機関１の機関始動が困難な場合に、燃料の気化が促進され、機関始動が容易に行える。
【００３９】
また、特殊機関始動制御は、点火プラグ８での点火後に筒内圧センサ１６で検知した筒
内圧Ｐが当該気筒２内の爆発で機関始動する場合に生じる所定圧Ｃよりも小さいときは、当該気筒２の初爆直前サイクルにおける当該気筒２内に燃料噴射弁７で燃料を噴射する処理から制御を繰り返す。
【００４０】
ここで、筒内圧センサ１６で検知する筒内圧Ｐが所定圧Ｃとは、気筒２内の爆発で機関始動する場合に生じる圧力であり、気筒２内の圧力がそれよりも小さいと、気筒２内の爆発で機関始動できなかったことになる圧力であり、予め実験や検証等で求まる。
【００４１】
特殊機関始動制御を繰り返すことにより、１回目の初爆サイクルで内燃機関１の機関始動ができなかった場合に、特殊機関始動制御を繰り返すので、機関始動が容易に行える。
【００４２】
次に特殊機関始動制御を行う機関始動制御ルーチンについて、図２に示すタイミングチャートと図３に示すフローチャートに基づいて説明する。図２は、特殊機関始動制御を示すタイミングチャートである。図３は、機関始動制御ルーチンを示すフローチャートである。本ルーチンは、所定の時間毎に繰り返しＥＣＵ２０によって実行される。
【００４３】
ステップＳ１０１では、スタータ１９を始動させるスタータスイッチがＯＮになったか否かを判別する。ステップＳ１０１において肯定判定された場合には、ステップＳ１０２へ移行する。ステップＳ１０１において否定判定された場合には、本ルーチンを一旦終了する。
【００４４】
ステップＳ１０２では、機関停止時における各気筒２の行程状態を検知する。機関停止時における各気筒２の行程状態を検知する手法は、クランク角センサ１５を用い、例えば特許第３１８６５２４号公報に記載された手法等により行う。これにより、どの気筒２が吸気行程で停止しているか等が検知できる。図２では、第１気筒が吸気行程、第３気筒が排気行程、第４気筒が膨張行程、第２気筒が圧縮行程で機関停止している。
【００４５】
ステップＳ１０３では、水温センサ１７で内燃機関１の機関冷却水温Ｔｗを検知する。
【００４６】
ステップＳ１０４では、アルコール濃度センサ１８で燃料のアルコール濃度Ｘを検知する。
【００４７】
ステップＳ１０５では、内燃機関１のクランキングをスタータ１９で開始する。
【００４８】
ステップＳ１０６では、機関冷却水温Ｔｗが所定温度Ａ以下、又は、燃料のアルコール濃度Ｘが所定濃度Ｂ以上か否かを判別する。ステップＳ１０６において機関冷却水温Ｔｗが所定温度Ａ以下、又は、燃料のアルコール濃度Ｘが所定濃度Ｂ以上であると肯定判定された場合には、ステップＳ１０８へ移行する。ステップＳ１０６において機関冷却水温Ｔｗが所定温度Ａ以下、又は、燃料のアルコール濃度Ｘが所定濃度Ｂ以上のどちらにも該当しないと否定判定された場合には、ステップＳ１０７へ移行する。
【００４９】
ステップＳ１０７では、特殊機関始動制御は不要であるので、通常の機関始動制御を行う。通常の機関始動制御は、クランキング開始後に、吸気行程、圧縮行程、膨張行程、排気行程を行う通常の１サイクルで初爆を行わせる制御である。
【００５０】
一方、ステップＳ１０８では、特殊機関始動制御に移行し、吸気弁ＶＶＴ１３により吸気行程で吸気弁９を閉弁する。ここでの吸気行程とは、初爆直前サイクルの吸気行程である。図２の第１気筒のように、機関停止時に吸気行程であった気筒２では、その吸気行程において吸気弁ＶＶＴ１３により開弁していた吸気弁９が閉弁されることになる。図２の第３気筒、第４気筒、第２気筒のように、機関停止時に吸気行程以外であった気筒２では
、内燃機関１のクランキング開始後に初めに来る吸気行程において、その吸気行程の初めから吸気弁ＶＶＴ１３により吸気弁９は閉弁状態に維持されることになる。これにより、低温の外気が気筒２内へ吸入されることを防止すると共に、筒内圧上昇を防止する。
【００５１】
ステップＳ１０９では、図２の各気筒２のように、膨張行程の後半の時期に燃料噴射弁７から燃料を噴射する。ここでの膨張行程とは、初爆直前サイクルの膨張行程である。初爆直前サイクルの膨張行程後半に燃料を噴射することで、気筒２内の負圧による燃料の気化促進と、初爆直前サイクルの１つ後の初爆サイクルの点火までの時間を長く稼ぐことによる燃料の気化促進とを図る。
【００５２】
ステップＳ１１０では、図２の各気筒２のように、排気弁ＶＶＴ１４により排気行程で排気弁１０を閉弁状態（全閉状態）に維持する。ここでの排気行程とは、初爆直前サイクルの排気行程である。初爆直前サイクルの排気行程では、気筒２内の燃料が排気されてしまうことを防止すると共に、断熱圧縮により気筒２内のガスを昇温させて更なる燃料の気化促進を図る。
【００５３】
なおこれにより初爆直前サイクルが終了する。初爆直前サイクルでは、初爆させないために、気筒２内への点火プラグ８での点火を禁止している。
【００５４】
ステップＳ１１１では、図２の各気筒２のように、吸気弁ＶＶＴ１３により吸気行程で吸気弁９を小作動リフト化する。小作動リフト化とは、通常時の開弁量よりも開弁量を少なくするものである。ここでの吸気行程とは、初爆サイクルの吸気行程である。小作動リフト化することで、吸入されるガス量が減り、始動要求燃料量が低減できると共に、気筒２内に流入する気流を増加させ、筒内ガスと燃料とのミキシングを向上し、更なる燃料の気化促進を図る。
【００５５】
ステップＳ１１２では、図２の各気筒２のように、圧縮行程と膨張行程との間の上死点近傍の時期に点火プラグ８で点火を行う。ここでの圧縮行程と膨張行程との間とは、初爆サイクルの圧縮行程と膨張行程との間である。なお、点火時期は、本実施例のタイミングに限られず、初爆サイクル中において変更してもよい。
【００５６】
ステップＳ１１３では、筒内圧センサ１６で気筒２内の筒内圧Ｐが所定圧Ｃ以上か否かを判別する。ステップＳ１１３において肯定判定された場合には、本ルーチンを一旦終了する。ステップＳ１１３において否定判定された場合には、ステップＳ１０９へ移行し、初爆直前サイクルにおける気筒２内に燃料噴射弁７で燃料を噴射する処理から制御を繰り返す。
【００５７】
なおこれにより初爆サイクルが終了する。初爆サイクルでは、新たな気化し難い燃料が供給されてしまうことを回避するため、気筒２内への燃料噴射弁７からの燃料噴射を禁止している。
【００５８】
なお、本ルーチンにおけるステップＳ１０８〜Ｓ１１３を実行するＥＣＵ１９が本発明の始動制御手段に相当する。
【００５９】
以上説明した本ルーチンによれば、特殊機関始動制御を行うことで、燃料の気化を促進させることができ、機関始動を容易に行わせることができる。
【００６０】
なお、本実施例では、特殊機関始動制御における気筒２内への燃料噴射弁７での燃料噴射を、初爆直前サイクルにおける膨張行程後半の気筒２の容積が大きい時期に行うようにしていた。これにより、初爆直前サイクルでの気筒２内のガス量が少ないにもかかわらず
、筒内ガス体積が大きくなり負圧となった気筒２内に燃料が噴射される。噴射される燃料は液体であるが、負圧の雰囲気に噴射されると、燃料の沸騰が生じる。よって、燃料の気化が促進され、機関始動が容易に行える。しかしながら、本発明はこれに限られない、初爆直前サイクルにおけるピストン３の頂部が上死点と下死点との中間位置よりも下方に位置する気筒２の容積が大きい時期であれば、例えば、吸気行程後半、圧縮行程前半、排気行程前半の時期であっても同様の効果を得ることができる。また特にこの効果を顕著に得られるのは、初爆直前サイクルにおけるピストン３の頂部が下死点近傍にある時期である。
【００６１】
また、特殊機関始動制御における気筒２内への燃料噴射手段での燃料噴射を、初爆直前サイクルにおけるピストン３の頂部が上死点と下死点との中間位置よりも上方に位置する気筒２の容積が小さい時期に行うものでもよい。この時期としては、例えば、吸気行程前半、圧縮行程後半、膨張行程前半、排気行程後半の時期である。これによると、クランキングされてピストン３が作動し、筒内ガスが断熱圧縮されて温められた気筒２内に燃料が噴射される。筒内ガスが温かい程、燃料は気化し易い。よって、燃料の気化が促進され、機関始動が容易に行える。また特にこの効果を顕著に得られるのは、初爆直前サイクルにおけるピストン３の頂部が上死点近傍にある時期である。
【００６２】
なお、本実施例では、特殊機関始動制御における気筒２内への燃料噴射弁７での燃料噴射を、初爆直前サイクルにおける膨張行程後半の時期に行うようにしていた。しかしこれに限られず、特殊機関始動制御における気筒２内への燃料噴射弁７での燃料噴射を、初爆直前サイクルにおけるより早い時期に行うことも好ましい。これによると、初爆直前サイクルにおけるより早い時期に燃料が噴射され、初爆サイクルの点火までの時間が長く稼げる。点火までの時間が長い程、燃料は気化し易い。よって、燃料の気化が促進され、機関始動が容易に行える。
【００６３】
なお、本実施例では、特殊機関始動制御における初爆サイクルでは、気筒２が吸気行程の時期に吸気弁９を吸気弁ＶＶＴ１３で小作動リフト化した。しかしこれに限られない。本発明としては、初爆サイクルにおける吸気行程で通常通り吸気弁９を開弁してもよい。
【００６４】
なお、本実施例では、特殊機関始動制御を、機関冷却水温Ｔｗが所定温度Ａ以下、又は、燃料のアルコール濃度Ｘが所定濃度Ｂ以上の場合に機関始動させる場合に限っていた。しかしこれに限られず、機関始動させる場合は全て特殊機関始動制御を行ってもよい。
【００６５】
なお、本実施例では、特殊機関始動制御は、点火プラグ８での点火後に筒内圧センサ１６で検知した筒内圧Ｐが当該気筒２内の爆発で機関始動する場合に生じる所定圧Ｃよりも小さいときに制御を繰り返すようにしていた。しかしこれに限られず、内燃機関１の機関回転数上昇度合いから当該制御を繰り返すか否かを判別してもよい。また、特殊機関始動制御を一度だけ行い繰り返さないようにしてもよい。
【００６６】
本発明に係る筒内直噴式内燃機関の始動制御装置は、上述の実施例に限定されるものではなく、本発明の要旨を逸脱しない範囲内において種々の変更を加えてもよい。
【符号の説明】
【００６７】
１     内燃機関
２     気筒
３     ピストン
４     燃焼室
５     吸気ポート
６     排気ポート
７     燃料噴射弁
８     点火プラグ
９     吸気弁
１０   排気弁
１１   吸気通路
１２   排気通路
１３   吸気弁ＶＶＴ
１４   排気弁ＶＶＴ
１５   クランク角センサ
１６   筒内圧センサ
１７   水温センサ
１８   アルコール濃度センサ
１９   スタータ
２０   ＥＣＵ
【図１】
2011038426.tif 000003
【図２】
2011038426.tif 000004
【図３】
2011038426.tif 000005